(57)【要約】【課題】  アナログレコードプレーヤを用いてアナログレコードに記録された第１トラックの先頭部から数秒間のオーディオ信号によるスクラッチ再生の効果音を同様の操作により発生させることができる光ディスク再生装置を提供する。【解決手段】  操作円盤部の指示により降順の読み出し順序で記憶部に記憶されたオーディオデータを読み出しているとき、降順の読み出し順序で記憶部からオーディオデータの先頭が読み出される前に、無音のオーディオデータを記憶部に記憶させる制御をする。【選択図】  図１
2005353158.tif 000002
【特許請求の範囲】
【請求項１】
光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部と、前記操作円盤部の指示に応じて前記記憶部に記憶されたオーディオデータを読み出す制御をする制御部とを備えた光ディスク再生装置において、
前記制御部は、前記読取部が光ディスクに記録されたオーディオデータの読み取りを開始すると、前記記憶部に無音のオーディオデータを記憶させる制御をすることを特徴とする光ディスク再生装置。
【請求項２】
光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部と、前記操作円盤部の指示に応じて前記記憶部に記憶されたオーディオデータを読み出す制御をする制御部とを備えた光ディスク再生装置において、
前記記憶部から読み出されるオーディオデータを予め定められた時間毎に検出し検出信号を発生する時間検出部と、
前記時間検出部が発生した検出信号に基づいて前記記憶部から読み出されるオーディオデータの読出時間を算出する読出時間算出部と、
前記読出時間算出部が降順の読み出し順序で前記記憶部から読み出されたオーディオデータの読出時間を算出し、当該読出時間が予め定められた読出時間になると、前記制御部は、無音のオーディオデータを前記記憶部に記憶させる制御をすることを特徴とする光ディスク再生装置。
【請求項３】
請求項１又は請求項２記載の光ディスク再生装置において、
前記制御部は、降順の読み出し順序で前記記憶部からオーディオデータの先頭が読み出された後、前記記憶部に記憶された無音のオーディオデータを降順の読み出し順序で読み出す制御をすることを特徴とする光ディスク再生装置。
【請求項４】
請求項３記載の光ディスク再生装置において、
前記制御部は、昇順の読み出し順序で前記記憶部から無音のオーディオデータの先頭が読み出された後、前記記憶部に記憶されたオーディオデータの先頭を昇順の読み出し順序で読み出す制御をすることを特徴とする光ディスク再生装置。
【発明の詳細な説明】
【技術分野】
【０００１】
本発明は、光ディスクから読み出したオーディオデータをメモリに記憶し、メモリに記憶したオーディオデータの読み出し速度及び読み出し順序を変えて再生することができる光ディスク再生装置に関する。
【背景技術】
【０００２】
オーディオ再生装置を操作してオーディオデータを再生するDJ（Disc Jockey）は、オーディオデータを再生している間に、擦れ音のような効果音を発生させるスクラッチ再生と呼ばれる特殊再生を行うことがある。DJは、アナログレコードプレーヤを用いてスクラッチ再生を行う場合、アナログレコードを素早く時計回り方向又は反時計回り方向に回すことにより擦れ音を発生させる。また、このアナログレコードプレーヤを用いて行われるスクラッチ再生と同様の特殊再生を行うことが可能な光ディスク再生装置がある。
【０００３】
この光ディスク再生装置は、ジョグダイヤルとメモリを備え、CD（Compact Disc）等の光ディスクから再生したオーディオデータをメモリに記憶し、ジョグダイヤルが時計回り方向に回転することにより、ジョグダイヤルの回転速度に応じた読み出し速度及び昇順アドレスの読み出し順序でメモリに記憶されたオーディオデータを読み出し、読み出したオーディオデータを再生する。また、ジョグダイヤルが反時計回り方向に回転することにより、ジョグダイヤルの回転速度に応じた読み出し速度及び降順アドレスの読み出し順序でメモリに記憶されたオーディオデータを読み出し、読み出したオーディオデータを再生する。光ディスク再生装置は、ジョグダイヤルの回転が停止しているとき、標準速度及び昇順アドレス（以下、通常再生という。）でメモリからオーディオデータを読み出し、読み出したオーディオデータを再生する。
【０００４】
このため、光ディスク再生装置は、時計回り方向又は反時計回り方向にジョグダイヤルが回転することによりアナログレコードによる擦れ音と同等の効果音を発生する。このように、DJは、CDに記録されたオーディオデータを光ディスク再生装置により再生しているとき、ジョグダイヤルをアナログレコードと同じように回転操作して、アナログレコードと同様のスクラッチ再生等の特殊再生を行うことができる（例えば、特許文献１参照。）。
【０００５】
【特許文献１】特開平２００１−３１２８５７号公報
【発明の開示】
【発明が解決しようとする課題】
【０００６】
アナログレコードには、第１トラック（第１曲）の記録開始位置の前の位置（アナログレコードの最外周部）にレコード針を導くための溝（以下、トレース溝という。）が設けられている。レコードプレーヤは、アナログレコードが１乃至３回転し、レコード針がトレース溝から第１トラックの記録開始位置に到達すると、第１トラックのオーディオ信号の通常再生を開始する。アナログレコードに設けられたトレース溝には、オーディオ信号が記録されていないので、レコードプレーヤは、レコード針がトレース溝内を移動している間、オーディオ信号を出力しない。
【０００７】
DJは、アナログレコードプレーヤを用いてアナログレコードに記録された第１トラックの先頭部から数秒間のオーディオ信号をスクラッチ再生することがある。例えば、DJは、第１トラックの通常再生を開始してからアナログレコードが時計回り方向に1/4回転した後、アナログレコードを反時計回り方向に1/2回転させ、更に、アナログレコードを時計回り方向に1/2回転させる回転操作を繰り返すスクラッチ再生を行うことがある。つまり、このスクラッチ再生の回転操作は、アナログレコードにおいて、第１トラックの記録開始位置を中心として、時計回り方向に1/4回転させた位置から反時計回りに1/4回転させた位置までの回転操作である。図６は、第１トラックのスクラッチ再生の再生音を説明する図である。図６（a）は、アナログレコードプレーヤによるスクラッチ再生の再生音を説明する図である。また、図６（b）は、従来の光ディスク再生装置によるスクラッチ再生の再生音を説明する図である。
【０００８】
図６（a）に示すO-Aの区間は、アナログレコードに記録された第１トラックのオーディオ信号の通常再生を開始してから、アナログレコードが時計回り方向に1/4回転したときに再生される再生音を示す。O-Aの区間において、アナログレコードプレーヤにより第１トラックの先頭部からオーディオ信号が通常再生される。A-Bの区間は、DJが反時計回り方向にアナログレコードを1/4回転させるときに再生される再生音を示す。A-Bの区間において、アナログレコードが反時計回りに1/4回転されると、アナログレコードプレーヤによりO-Aの区間で再生されたオーディオ信号と逆順序で第１トラックのオーディオ信号が再生され、第１トラックの先頭部のオーディオ信号まで再生される。
【０００９】
B-Cの区間は、更にDJが反時計回り方向にアナログレコードを1/4回転させるときに再生される再生音を示す。B-Cの区間において、アナログレコードが反時計回り方向に1/4回転されると、レコード針がトレース溝内を移動するので、アナログレコードプレーヤからオーディオ信号が出力されない（無音の再生音）。C-Dの区間は、DJが反時計回り方向から時計回り方向にアナログレコードを1/4回転させるときに再生される再生音を示す。C-Dの区間において、アナログレコードが時計回りに1/4回転されると、レコード針がB-Cの区間で移動したトレース溝内を移動するので、アナログレコードプレーヤによりオーディオ信号が出力されない。D-Eの区間は、更にDJが時計回り方向にアナログレコードを1/4回転したときに再生される再生音を示す。D-Eの区間において、アナログレコードが時計回りに1/4回転されると、レコード針がトレース溝から第１トラックの記録開始位置に移動し、アナログレコードプレーヤにより第１トラックの先頭部からオーディオ信号が再生される。
【００１０】
図６（a）に示すようなスクラッチ再生を行っているとき、DJがC点でアナログレコードを反時計回り方向から時計回り方向に回転させると又はスクラッチ再生を終了すると、アナログレコードプレーヤは、C-Dの区間においてＢ-Ｃの区間における無音の再生音を再生し、D点から第１トラックの先頭部のオーディオ信号を再生する。
【００１１】
次に、DJは、ジョグダイヤルを回転操作して、スクラッチ再生等の特殊再生を行うことができる従来の光ディスク再生装置を用いて、光ディスクに記録された第１トラックの先頭部から数秒間のオーディオデータをスクラッチ再生する場合について説明する。図６（b）を用いて、従来の光ディスク再生装置によるスクラッチ再生の再生音を説明する。
【００１２】
図６（b）に示すo-aの区間は、光ディスクに記録された第１トラックのオーディオデータの通常再生を開始してから再生される再生音を示す。o-aの区間において、従来の光ディスク再生装置により光ディスクから読み取った第１トッラクのオーディオデータがメモリに記憶され、メモリから読み出されたオーディオデータが通常再生される。a-bの区間は、DJがジョグダイヤルを反時計回り方向に回転させるときに再生される再生音を示す。a-bの区間において、従来の光ディスク再生装置は、ジョグダイヤルが反時計回りに回転されると、o-a区間で再生されたオーディオデータをメモリから降順アドレスで読み出し、読み出したオーディオデータを再生する。
【００１３】
b-cの区間は、更にDJが反時計回り方向にジョグダイヤルを回転させるときに再生される再生音を示す。降順アドレスでメモリから第１トラックの先頭のオーディオデータが読み出された後も、更にジョグダイヤルが反時計回り方向に回転されると、従来の光ディスク再生装置は、メモリに第１トラックの先頭部に続けて降順アドレスで読み出すオーディオデータが記憶されていないので、b-cの区間の再生音は無音になる。
【００１４】
c-dの区間は、DJが反時計回り方向から時計回り方向にジョグダイヤルを回転させるときに再生される再生音を示す。c-dの区間において、DJがジョグダイヤルを反時計回り方向から時計回り方向に回転させると、従来の光ディスク再生装置は、メモリから昇順アドレスで第１トラックの先頭部からオーディオデータの読み出しを開始し、読み出したオーディオデータを再生する。
【００１５】
図６（b）に示すようなスクラッチ再生を行っているとき、DJがc点でジョグダイヤルを反時計回り方向から時計回り方向に回転させると又はスクラッチ再生を終了すると、従来の光ディスク再生装置では、c点から第１トラックのオーディオデータを先頭部から再生する。
【００１６】
したがって、従来の光ディスク再生装置は、上述したアナログレコードプレーヤの場合と異なり、c点から無音の再生音とならずに、第１トラックの先頭部からのオーディオデータの再生音となる。このため、従来の光ディスク再生装置は、アナログレコードプレーヤを用いたスクラッチ再生の効果音と同等の効果音を発生させることができないという課題がある。
【００１７】
本発明は、上記の課題を解決するためになされたものであり、アナログレコードプレーヤを用いてアナログレコードに記録された第１トラックの先頭部から数秒間のオーディオ信号によるスクラッチ再生の効果音を同様の操作により発生させることができる光ディスク再生装置を提供することを目的とする。
【課題を解決するための手段】
【００１８】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部と、前記操作円盤部の指示に応じて前記記憶部に記憶されたオーディオデータを読み出す制御をする制御部とを備えた光ディスク再生装置において、前記制御部は、前記読取部が光ディスクに記録されたオーディオデータの読み取りを開始すると、前記記憶部に無音のオーディオデータを記憶させる制御をすることを特徴とする。
【００１９】
また、本願の請求項２記載の発明は、光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部と、前記操作円盤部の指示に応じて前記記憶部に記憶されたオーディオデータを読み出す制御をする制御部とを備えた光ディスク再生装置において、前記記憶部から読み出されるオーディオデータを予め定められた時間毎に検出し検出信号を発生する時間検出部と、前記時間検出部が発生した検出信号に基づいて前記記憶部から読み出されるオーディオデータの読出時間を算出する読出時間算出部と、前記読出時間算出部が降順の読み出し順序で前記記憶部から読み出されたオーディオデータの読出時間を算出し、当該読出時間が予め定められた読出時間になると、前記制御部は、無音のオーディオデータを前記記憶部に記憶させる制御をすることを特徴とする。
【００２０】
また、本願の請求項３記載の発明は、請求項１又は請求項２記載の光ディスク再生装置において、前記制御部は、降順の読み出し順序で前記記憶部からオーディオデータの先頭が読み出された後、前記記憶部に記憶された無音のオーディオデータを降順の読み出し順序で読み出す制御をすることを特徴とする。
【００２１】
また、本願の請求項４記載の発明は、請求項３記載の光ディスク再生装置において、前記制御部は、昇順の読み出し順序で前記記憶部から無音のオーディオデータの先頭が読み出された後、前記記憶部に記憶されたオーディオデータの先頭を昇順の読み出し順序で読み出す制御をすることを特徴とする。
【発明の効果】
【００２２】
本発明によれば、アナログレコードプレーヤを用いてアナログレコードに記録された第１トラックの先頭部から数秒間のオーディオ信号によるスクラッチ再生の効果音を同様の操作により発生させることができる光ディスク再生装置を提供することができる。
【発明を実施するための最良の形態】
【００２３】
以下、本発明の実施の形態を図面に基づいて説明する。
本発明の一実施例は、操作部にジョグダイヤルを備え、ジョグダイヤルの回転速度及び回転方向に応じて、CDから再生しRAM（Random Access Memory）に記憶されたデジタルオーディオデータの読み出し速度及び読み出し順序を変えることができるCDプレーヤである。図１は、本発明の一実施例であるCDプレーヤの構成を示すブロック図である。図１において、１はターンテーブル、２はスピンドルモータ、３はサーボ制御部、４は光ピックアップ、５は再生アンプ、６は信号処理部、７はメモリ制御部、８はRAM、９は時間検出部、１０は、DAC（Digital to Analog Converter）、１１は出力端子、１２は制御部、１３は表示部、１４は操作部、１５は読出時間算出部を示す。
【００２４】
スピンドルモータ２に固定されたターンテーブル１は、CDを固定する。操作部１４から再生開始の指示があると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００２５】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。メモリ制御部７は、入力されたデジタルオーディオデータをRAM８に入力するよう制御する。RAM８は、入力されたデジタルオーディオデータを最終アドレスに記憶すると、後続のデジタルオーディオデータを先頭アドレスから記憶するリングバッファである。RAM８が記憶したデジタルオーディオデータは、メモリ制御部７の制御により読み出され、メモリ制御部７に備えられた時間検出部９に入力される。
【００２６】
時間検出部９は、RAM８から入力されるデジタルオーディオデータをフレーム単位で検出し、１フレームを検出する毎にフレーム検出信号を発生し、当該フレーム検出信号を制御部１２に入力する。時間検出部９は、メモリ制御部７の制御によりRAM８から昇順アドレスでデジタルオーディオデータが読み出されているとき、第１のフレーム検出信号を発生し、RAM８から降順アドレスでデジタルオーディオデータが読み出されているとき、第２のフレーム検出信号を発生する。CDに記録されたオーディオデータのサンプリング周波数が44.1kHzである場合、１秒間分のデジタルオーディオデータは４４１００サンプルとなり、１フレーム（1/75秒）では、５８８サンプルとなる。時間検出部９は、５８８サンプルのデジタルオーディオデータを検出する毎に、第１のフレーム検出信号又は第２のフレーム検出信号を発生する。DAC１０は、時間検出部９から入力されたデジタルオーディオデータをアナログオーディオ信号に変換する。DAC９により変換されたアナログオーディオ信号は、出力端子１１から出力される。
【００２７】
表示部１３は、現在再生しているトラックの再生時間、トラックナンバー等を表示する。操作部１４は、ジョグダイヤル、再生ボタン、再生停止ボタン、トラックサーチボタン、早送りボタン、早戻しボタン、イジェクトボタンを備えている。
【００２８】
図２は、本発明の一実施例であるCDプレーヤの操作部１４が備えるジョグダイヤルの側断面を示す図である。図２において、２１は操作円盤部、２２は回転軸、２３はスケール部、２４は軸受け、２５はスリット部、２６は回転検出部、２７はCDプレーヤの筐体部を示す。本実施例のCDプレーヤにおいて、操作円盤部２１は、直径１０cm〜２０cm程度の大きさであり、CDプレーヤの筐体に取り付けられている。
【００２９】
図２において、操作円盤部２１は、中心部に回転軸２２が挿入され、図示しないネジ等により回転軸２２に固定されている。回転軸２２は、軸受け２４に挿入されている。スケール部２３は、中心部に回転軸２２が挿入され、図示しないネジ等により回転軸２２に固定されている。このため、ジョグダイヤル３１及びスケール部３２は、回転軸２３を介して一体的に回転することができる。また、操作円盤部２１の回転状態を目視により確認するために、操作円盤部２１には、回転位置を示す目印が設けられている。
【００３０】
スケール部２３の外周部には、等間隔に長方形状のスリット部２５が設けられている。スケール部２３の材質が金属の場合、このスリット部２５は、長方形状の開口部にする。しかし、開口部の形状は、長方形に限られるものではなく、適宜の形状でよい。また、スケール部２３として材質が透明又は半透明のプラスチックなどが用いられている場合は、スリット部２５を印刷によって形成する。
【００３１】
回転検出部２６は、操作円盤部２１と一体的に回転するスケール部２３の回転状態（回転速度及び回転方向）を検出する。回転検出部２６は、光センサa及び光センサbを備え、スケール部２３に設けられたスリット部２５を検出できるように筐体部２７に固定されている。回転検出部２６は、スリット部２５を検出すると、光センサa及び光センサbから位相の異なる（例えば、９０°の位相差）パルス信号a及びパルス信号bを発生して制御部１２に出力する。本実施例では、パルス信号a及びパルス信号bを回転検出信号とする。
【００３２】
制御部１２は、CDに記録されたデジタルオーディオデータを再生しているとき、回転検出部２６からパルス信号a及びパルス信号bの入力がないとき（操作円盤部２１が回転操作されていないとき）、通常再生と判断する。このとき、制御部１２は、標準速度及び昇順アドレスでRAM８に記憶されたデジタルオーディオデータを読み出すようにメモリ制御部７を制御する。メモリ制御部７は、制御部１２の制御に応じた読み出し速度及び読み出し順序でRAM８に記憶されたデジタルオーディオデータを読み出す制御をする。
【００３３】
一方、制御部１２は、CDに記録されたデジタルオーディオデータを再生しているとき、操作円盤部２１が回転操作され回転検出部２６からパルス信号a及びパルス信号bが入力されると、入力されたパルス信号a及びパルス信号bにより操作円盤部２１の回転速度及び回転方向を判別する。制御部１２は、回転検出部２６から一定時間に入力されるパルス信号a又はパルス信号bのどちらか一方のパルス信号のパルス数から操作円盤部２１の回転速度を判別する。また、制御部１２は、回転検出部２６から入力されるパルス信号a及びパルス信号bの位相差に基づいて、操作円盤部２１の回転方向を判別する。例えば、パルス信号a及びパルス信号bの位相差が９０°である場合、操作円盤部２１が時計回り方向に回転すると、パルス信号aは、パルス信号bに対して、＋９０°の位相差となる。また、操作円盤部２１が反時計回り方向に回転すると、パルス信号aは、パルス信号bに対して、−９０°の位相差となる。制御部１２は、判別した操作円盤部２１の回転速度及び回転方向に対応した読み出し速度及び読み出し順序でRAM８からデジタルオーディオデータを読み出すようにメモリ制御部７を制御する。メモリ制御部７は、制御部１２の制御に応じた読み出し速度及び読み出し順序でRAM８に記憶されたデジタルオーディオデータを読み出す制御をする。
【００３４】
制御部１２は、読出時間算出部１５を備えている。読出時間算出部１５は、上述した時間検出部９から入力された第１のフレーム検出信号又は第２のフレーム検出信号をカウントすることにより、読出時間を算出する。この読出時間は、RAM８から読み出されるデジタルオーディオデータのトラックの先頭部からの再生経過時間に相当する。読出時間算出部１５は、時間検出部９から入力される第１のフレーム検出信号を１回カウントする毎にカウント数を１増やし、第２のフレーム検出信号を１回カウントする毎にカウント数を１減らす。例えば、トラックの再生を開始してから、読出時間算出部１５がカウントした第１のフレーム検出信号のカウント数が１２００であるとき、１秒間は７５フレームであるため、読出時間は、１６秒００フレーム（１２００／７５）となる。この後、読出時間算出部１５が更に第１のフレーム検出信号を連続して１５５回カウントすると、読出時間算出部１５のカウント数は１３５５（＝１２００＋１５５）となり、読出時間は、１８秒０５フレーム（１６秒００フレーム＋２秒０５フレーム）となる。また、カウント数が１２００であるとき、読出時間算出部１５が第２のフレーム検出信号を連続して２００回カウントすると、読出時間算出部１５のカウント数は１０００（＝１２００−２００）となり、読出時間は、１３秒２５フレーム（１６秒００フレーム−２秒５０フレーム）となる。
【００３５】
本実施例のCDプレーヤを用いて、スクラッチ再生を行う場合、DJは、手で操作円盤部２１を素早く時計回り方向又は反時計回り方向に回転させる操作を繰り返す。制御部１２は、回転検出部２６が検出した光センサa及び光センサbから入力されるパルス信号a及びパルス信号bから、操作円盤部２１の回転速度及び回転方向を判別する。制御部１２は、判別した回転速度及び回転方向に応じて、メモリ制御部７を制御する。メモリ制御部７は、RAM８に記憶されたデジタルオーディオデータの読み出し速度及び読み出し順序（デジタルオーディオデータを昇順アドレスで読み出す又は降順アドレスで読み出す）を制御する。RAM８から読み出されたデジタルオーディオデータは、時間検出部９を介してDAC１０によりアナログオーディオ信号に変換され出力端子１１から出力される。
【００３６】
図３及び図４は、本発明の実施例のCDプレーヤの第１トラックの先頭部から数秒間のオーディオデータをスクラッチ再生する動作を説明するフローチャートである。図５は、RAM８に記憶されたデジタルオーディオデータを説明する図である。
【００３７】
図３のステップ１は、第１トラックのオーディオデータを通常再生しているとき、DJが操作円盤部２１を回転操作し、スクラッチ再生の操作がされたか否かを制御部１２が判別するステップである。スクラッチ再生の操作がされた場合はステップ２へ進む。
【００３８】
ステップ２は、操作円盤部２１が反時計回り方向に回転されたか否かを制御部１２が判別するステップである。制御部１２は、回転検出部２６から入力されるパルス信号から、DJが回転操作した操作円盤部２１の回転方向を判別する。操作円盤部２１が反時計回り方向に回転された場合はステップ３へ進む。操作円盤部２１が時計回り方向に回転された場合はステップ１３へ進む。
【００３９】
ステップ３は、制御部１２が判別した読み出し速度及び降順アドレスでRAM８に記憶された第１トラックのデジタルオーディオデータを読み出す制御をするステップである。メモリ制御部７により制御部１２が判別した読み出し速度及び降順アドレスでRAM８から読み出された第１トラックのデジタルオーディオデータは、時間検出部９を介してDAC１０によりアナログオーディオ信号に変換され出力端子１１から出力される。
【００４０】
ステップ４は、読出時間算出部１５が算出した読出時間が予め定められた読出時間（第１トラックの先頭部からの時間）になったか否かを制御部１２が判別するステップである。予め定められた時間になった場合はステップ５に進む。本実施例では、後述するステップ５において、制御部１２が予め定められた読出時間になったことを判別してから降順アドレスでRAM８に記憶された第１トラックの先頭部のデジタルオーディオデータが読み出されるまでの間に、RAM８に無音のデジタルオーディオデータを記憶する。したがって、この予め定められた読出時間は、RAM８に無音のデジタルオーディオデータを記憶する処理にかかる時間よりも長い時間となるように設定される。RAM８から第１トラックの先頭部のデジタルオーディオデータが読み出されるとき、読出時間算出部１５が算出する読出時間は、０分００秒００フレームとなるので、例えば、本実施例では、予め定められた読出時間を０分３秒００フレーム（すなわち、３秒間）と設定する。
【００４１】
図５（a）は、ステップ４において、RAM８に記憶されているデジタルオーディオデータを示す図である。図５（a）に示すRAM８のO-Aの記憶領域は、第１トラックのデジタルオーディオデータが記憶された記憶領域である。また、A-Bの記憶領域は、第２トラックのデジタルオーディオデータが記憶された記憶領域であり、B-Dの記憶領域は、デジタルオーディオデータが記憶されていない記憶領域である。
【００４２】
ステップ５は、制御部１２がRAM８に無音のデジタルオーディオデータを記憶する制御をするステップである。制御部１２は、ステップ４において読出時間算出部１５が算出した読出時間が予め定められた読出時間になったことを判別すると、RAM８に無音のデジタルオーディオデータを記憶するようにメモリ制御部７を制御する。図５（b）は、ステップ５においてRAM８に記憶されているデジタルオーディオデータを示す図である。
【００４３】
制御部１２は、降順アドレスでRAM８から第１トラックの先頭部のデジタルオーディオデータが読み出された後、無音のデジタルオーディオデータが読み出されるようにRAM８に無音のデジタルオーディオデータを記憶する制御をする。このため、制御部１２は、RAM８に第１トラックの先頭部のデジタルオーディオデータが記憶されたRAM８のアドレス（図５（a）に示すO点）を記憶し、このアドレスより前のアドレスに例えば２０秒間の無音のデジタルオーディオデータを記憶するように、RAM８の記憶領域を指定する。メモリ制御部７は、制御部１２により指定された記憶領域を全て０データにする制御をすることにより、無音のデジタルオーディオデータをRAM８に記憶することができる。
【００４４】
本実施例では、RAM８がリングバッファであるため、図５（b）に示すように、無音のデジタルオーディオデータは、RAM８のC-Dの記憶領域に記憶される。図５（b）に示すO点の先頭アドレスにおいて降順アドレスでRAM８から第１トラックの先頭部のデジタルオーディオデータが読み出されると、D点の最終アドレスから降順アドレスでRAM８に記憶されたデジタルオーディオデータを読み出すことができる。RAM８に記憶される無音のデジタルオーディオデータの時間は、DJが任意の時間に設定することができるようにしてもよい。
【００４５】
ステップ６は、降順アドレスでRAM８から第１トラックの先頭部のデジタルオーディオデータが読み出されたか否かを制御部１２が判別するステップである。第１トラックの先頭部のデジタルオーディオデータが読み出された場合はステップ７に進む。制御部１２は、読出時間算出部１５が０分００秒００フレームの読出時間を算出すると、降順アドレスでRAM８から第１トラックの先頭部のデジタルオーディオデータが読み出されたことを判別する。
【００４６】
ステップ７は、降順アドレスでRAM８に記憶された無音のデジタルオーディオデータを読み出すステップである。DJが操作円盤部２１を反時計回り方向に回転させているとき、制御部１２は、降順アドレスでRAM８から第１トラックの先頭部のデジタルオーディオデータが読み出されると、降順アドレスでRAM８のC-Dの記憶領域に記憶された無音のデジタルオーディオデータを読み出す制御をする。
【００４７】
制御部１２は、RAM８に記憶された無音のデジタルオーディオデータが読み出されているとき、表示部１３に無音のデジタルオーディオデータが読み出されていることを示す情報とRAM８から読み出されている無音のデジタルオーディオデータの残り時間を示す情報とを表示させる制御をする。ステップ５においてRAM８に記憶された無音のデジタルオーディオデータのトラックを第０トラックとする場合、制御部１２は、RAM８から無音のデジタルオーディオデータを読み出しているとき、表示部１３にトラックナンバー０を表示する制御をする。または、表示部１３にLEAD IN等の表示をしても良い。
【００４８】
また、ステップ５において、例えば２０秒間の無音のデジタルオーディオデータをRAM８に記憶した場合、制御部１２は、図５（b）に示すD点の最終アドレスに記憶された無音のデジタルオーディオデータがRAM８から読み出されるとき、表示部１３に０分００秒００フレームを表示させる制御をする。制御部１２は、降順アドレスでRAM８から無音のデジタルオーディオデータを読み出しているとき、表示部１３に１フレーム毎にインクリメントした時間を表示させる制御をする。そして、図５（b）に示すC点のアドレスに記憶された無音のデジタルオーディオデータがRAM８から読み出されるとき、制御部１２は、表示部１３に０分２０秒００フレームを表示させる制御をする。昇順アドレスでRAM８から無音のデジタルオーディオデータを読み出しているとき、制御部１２は、表示部１３に１フレーム毎にデクリメントした時間を表示させる制御をする。
【００４９】
ステップ８は、操作円盤部２１が反時計回り方向から時計回り方向に回転されたか否かを制御部１２が判別するステップである。制御部１２は、回転検出部２６から入力されるパルス信号から、DJが回転操作した操作円盤部２１の回転方向を判別する。操作円盤部２１が反時計回り方向から時計回り方向に回転された場合はステップ９へ進む。操作円盤部２１が反時計回り方向に回転されている場合はステップ１０へ進む。
【００５０】
ステップ９は、図４に示すステップ１６へ進むステップである。
【００５１】
ステップ１０は、スクラッチ再生が終了したか否かを制御部１２が判別するステップである。制御部１２は、操作円盤部２１の回転が停止し回転検出部２６からパルス信号の入力が停止すると、DJがスクラッチ再生を終了したことを判別する。操作円盤部２１が反時計回り方向に回転されているときに、スクラッチ再生が終了した場合はステップ１１へ進む。スクラッチ再生が終了していない場合はステップ８へ進む。
【００５２】
ステップ１１は、スクラッチ再生が終了した位置から標準速度及び昇順アドレスでRAM８に記憶された無音のデジタルオーディオデータを読み出すステップである。
【００５３】
ステップ１２は、RAM８に記憶された第１トラックのデジタルオーディオデータを先頭部から通常再生をするステップである。制御部１２は、ステップ１１における標準速度及び昇順アドレスでのRAM８から無音のデジタルオーディオデータが読み出しに続いて、標準速度及び昇順アドレスでRAM８に記憶された第１トラックの先頭部のデジタルオーディオデータを読み出す制御をする。
【００５４】
ステップ１３は、ステップ２において操作円盤部２１が時計回り方向に回転されると、制御部１２が判別した読み出し速度及び昇順アドレスでRAM８に記憶された第１トラックのデジタルオーディオデータを読み出す制御をするステップである。メモリ制御部７により制御部１２が判別した読み出し速度及び昇順アドレスでRAM８から読み出された第１トラックのデジタルオーディオデータは、時間検出部９を介してDAC１０によりアナログオーディオ信号に変換され出力端子１１から出力される。
【００５５】
ステップ１４は、スクラッチ再生が終了したか否かを制御部１２が判別するステップである。制御部１２は、操作円盤部２１の回転が停止し回転検出部２６からパルス信号の入力が停止すると、DJがスクラッチ再生を終了したことを判別する。スクラッチ再生が終了した場合はステップ１５へ進む。スクラッチ再生が終了していない場合はステップ２へ進む。
【００５６】
ステップ１５は、制御部１２が通常再生の制御をするステップである。制御部１２は、ステップ１４においてスクラッチ再生が終了した位置から標準速度及び昇順アドレスでRAM８に記憶された第１トラックのデジタルオーディオデータを読み出す制御をする。
【００５７】
図４に示すステップ１６は、図３に示すステップ９に続くステップである。
ステップ１６は、昇順アドレスでRAM８に記憶された無音のデジタルオーディオデータを読み出すステップである。制御部１２は、ステップ８において操作円盤部２１が反時計回り方向から時計回り方向に回転されると、RAM８に記憶された無音のデジタルオーディオデータの読み出し順序を降順アドレスから昇順アドレスにする制御をする。
【００５８】
ステップ１７は、操作円盤部２１が時計回り方向から反時計回り方向に回転されたか否かを制御部１２が判別するステップである。制御部１２は、回転検出部２６が検出するパルス信号から、DJが回転操作した操作円盤部２１の回転方向を判別する。操作円盤部２１が時計回り方向から反時計回り方向に回転された場合はステップ１８へ進む。操作円盤部２１が時計回り方向に回転されている場合はステップ１９へ進む。
【００５９】
ステップ１８は、図３に示すステップ７へ進むステップである。
【００６０】
ステップ１９は、スクラッチ再生が終了したか否かを制御部１２が判別するステップである。制御部１２は、操作円盤部２１の回転が停止し回転検出部２６からパルス信号の入力が停止すると、DJがスクラッチ再生を終了したことを判別する。操作円盤部２１が時計回り方向に回転されているときに、スクラッチ再生が終了した場合はステップ２０へ進む。スクラッチ再生が終了していない場合はステップ２１へ進む。
【００６１】
ステップ２０は、図３に示すステップ１１へ進むステップである。
【００６２】
ステップ２１は、昇順アドレスでRAM８に記憶された第１トラックの先頭部のデジタルオーディオデータを読み出すステップである。制御部１２は、昇順アドレスでRAM８から無音のデジタルオーディオデータが読み出されると、昇順アドレスでRAM８に記憶された第１トラックの先頭部のデジタルオーディオデータを読み出す制御をする。
【００６３】
上述した実施例において制御部１２は、読出時間算出部１５が算出した読出時間が予め定められた読出時間になったとき、RAM８に無音のデジタルオーディオデータを記憶する制御をするが、CDに記録されたオーディオデータの読み取りを開始すると、RAM８に無音のデジタルオーディオデータを記憶する制御をしても良い。または、本実施例のCDプレーヤの電源がオンされたときに、制御部１２がRAM８に無音のデジタルオーディオデータを記憶する制御をしても良い。
【００６４】
上述したように本実施例のCDプレーヤは、操作円盤部２１が反時計回り方向に回転され、降順アドレスでRAM８から第１トラックの先頭部のデジタルオーディオデータが読み出される前に、無音のデジタルオーディオデータをRAM８に記憶する。この無音のデジタルオーディオデータは、降順アドレスでRAM８から第１トラックの先頭部のデジタルオーディオデータの読み出しに続いて読み出されるようにRAM８に記憶する。本実施例のCDプレーヤは、降順アドレスでRAM８に記憶された無音のデジタルオーディオデータを読み出しているとき、操作円盤部２１を反時計回り方向から時計回り方向に回転させると又はスクラッチ再生が終了すると、昇順アドレスでRAM８に記憶された無音のデジタルオーディオデータを読み出す。
【００６５】
このため、本実施例のCDプレーヤは、アナログレコードと同様に操作円盤部２１を回転操作することによりアナログレコードに記録された第１トラックの先頭部から数秒間のオーディオ信号をスクラッチ再生の効果音と同等の効果音を発生させることができる。
【００６６】
本実施例では、CDに記録された第１トラックのオーディオデータのスクラッチ再生について説明をしたが、第１トラックに限らずCDに記録された全トラックのオーディオデータのスクラッチ再生において、本発明を適用することができる。
【図面の簡単な説明】
【００６７】
【図１】本発明の実施例であるCDプレーヤの構成を示すブロック図。
【図２】本発明の実施例であるCDプレーヤが備えるジョグダイヤルの構成を示す図。
【図３】本発明の実施例であるCDプレーヤの第１トラックのスクラッチ再生の動作を説明するフローチャート。
【図４】本発明の実施例であるCDプレーヤの第１トラックのスクラッチ再生の動作を説明するフローチャート。
【図５】RAM８に記憶されたデジタルオーディオデータを説明する図。
【図６】従来の光ディスク再生装置の第１トラックのスクラッチ再生の再生音を説明する図。
【符号の説明】
【００６８】
１…ターンテーブル、２…スピンドルモータ、３…サーボ制御部、４…光ピックアップ、５…再生アンプ、６…信号処理部、７…メモリ制御部、８…RAM、９…時間検出部、１０…DAC、１１…出力端子、１２…制御部、１３…表示部、１４…操作部、１５…読出時間算出部、２１…操作円盤部、２２…回転軸、２３…スケール部、２４…軸受け、２５…スリット部、２６…回転検出部、２７…CDプレーヤの筐体部
【図１】
2005353158.tif 000003
【図２】
2005353158.tif 000004
【図３】
2005353158.tif 000005
【図４】
2005353158.tif 000006
【図５】
2005353158.tif 000007
【図６】
2005353158.tif 000008